(57)【要約】【課題】チャッキングプレート支持板をなくし、部品点数及び工数を削減してコスト削減を行うとともに、ＰＣＢ上の電気部品の冷却効率を向上させた光ディスク装置を提供することである。【解決手段】チャッキングプレート１３をＰＣＢ１８に形成された穴に取り付け、ＰＣＢ１８をディスクｄの上方に配置し、ピックアップ１９用のコネクタ２１をディスクトレイ１７の後方に配設し、ピックアップケーブル２０をディスクトレイ１７の外側を通してピックアップ１９に接続し、ＰＣＢ１８上の電気部品で発熱する部品をディスクｄに対向する領域に配設し、ＰＣＢ１８上の電気部品でディスクｄとＰＣＢ１８間の距離以上の高さを有する部品をディスクｄに対向しない領域に配設する構成とする。【選択図】      図２
2004220658.tif 000002
【特許請求の範囲】
【請求項１】
光ディスクを支持するチャッキング部を有するターンテーブルと、該チャッキング部に吸着して前記光ディスクを狭持するチャッキングプレートと、電気部品を搭載したプリント回路基板と、該プリント回路基板上に配設されたコネクタにフレキシブル線を介して接続されたピックアップと、前記光ディスクを搬送するディスクトレイと、前記ターンテーブルを回転させるスピンドルモータとを備えた光ディスク装置において、
前記チャッキングプレートは、前記プリント回路基板に形成された穴に取り付け、
前記プリント回路基板は、前記光ディスクの前記ディスクトレイとは反対側に配置し、
前記コネクタは、前記ディスクトレイの後方に配設し、
前記フレキシブル線は、前記ディスクトレイの外側を通して前記ピックアップに接続し、
前記電気部品であって発熱する部品は、前記光ディスクに対向する領域に配設し、
前記電気部品であって前記光ディスクと前記プリント回路基板間の距離以上の高さを有する部品は、前記光ディスクに対向しない領域に配設することを特徴とする光ディスク装置。
【請求項２】
光ディスクを支持するチャッキング部を有するターンテーブルと、該チャッキング部に吸着して前記光ディスクを狭持するチャッキングプレートと、電気部品を搭載したプリント回路基板と、該プリント回路基板上に配設されたコネクタにフレキシブル線を介して接続されたピックアップとを備えた光ディスク装置において、
前記チャッキングプレートが前記プリント回路基板に形成された穴に取り付けられることを特徴とする光ディスク装置。
【請求項３】
前記電気部品であって発熱する部品は、前記光ディスクに対向する領域に配設することを特徴とする請求項２記載の光ディスク装置。
【請求項４】
前記電気部品であって前記光ディスクと前記プリント回路基板間の距離以上の高さを有する部品は、前記光ディスクに対向しない領域に配設することを特徴とする請求項２記載の光ディスク装置。
【発明の詳細な説明】
【０００１】
【発明の属する技術分野】
本発明は、チャッキング部を有するターンテーブルとチャッキングプレートとで光ディスクを狭持する光ディスク装置に関するものである。
【０００２】
【従来の技術】
ＣＤやＤＶＤ等の光ディスクを再生・記録する光ディスク装置の一般的な構造として、ディスクトレイに載置された光ディスクを本体に挿入し、磁石を用いたチャッキング部で挟んで固定する構造が採用されている。図３は、従来の光ディスク装置１００の要部斜視図、図４は、従来の光ディスク装置１００の側断面図である。
【０００３】
光ディスク装置１００の筐体（不図示）の内部には、金属製の骨組みである本体シャーシ１０１が備えられる。本体シャーシ１００の上面には金属製のチャッキングプレート支持板１０２がビス止めされ、チャッキングプレート支持板１０２の中央に形成された穴に３枚の円板からなるチャッキングプレート１０３が回転可能に取り付けられる。
【０００４】
本体シャーシ１０１内には、チャッキングプレート１０３に対向してターンテーブル１０４が設けられ、ターンテーブル１０４上の中心には、テーパーを有した磁石からなるチャッキング部１０５が設けられている。ターンテーブル１０４はスピンドルモータ１０６により回転される。
【０００５】
また、１０７はディスクｄを搬送するディスクトレイであり、１０８はプリント回路基板（ＰＣＢ）、１０９はピックアップ、１１０はシート状のピックアップケーブル、１１１はピックアップケーブルとＰＣＢ１０８とを接続するコネクタ、１１２は外部コネクタ、１１３はＰＣＢ１０８と本体シャーシ１０１とに接触してＰＣＢ１０８の放熱を行う熱伝導性ゴムである。
【０００６】
このような光ディスク装置１００において、ディスクｄは、ディスクトレイに載置されて挿入され、チャッキング部１０５とチャッキングプレート１０３で挟まれ、スピンドルモータ１０６により回転される。
【０００７】
ところで特許文献１には、メインＰＣＢを２層ＰＣＢ１枚構造とし、該メインＰＣＢをターンテーブル上方でこれと平行に取り付け、ターンテーブルに対向するメインＰＣＢ下面側に各種電気部品を実装したディスクプレーヤが開示されている。これにより、ディスクの回転による空気流動を利用して全ての電気部品の冷却を均一にしている。
【０００８】
また特許文献２には、モータ制御回路基板とフロッピーディスク装置制御回路基板とを一体の基板とし、この回路基板にベース板とともにスピンドルモータを取り付け、ベース板に設けたリード端子部をこの回路基板に接続したフロッピーディスク装置が開示されている。これにより、回路基板を小さくでき、装置の小型化を行っている。
【０００９】
【特許文献１】
実開平５−６７９９９号公報
【特許文献２】
特開平８−３１１６７号公報
【００１０】
【発明が解決しようとする課題】
図３、図４で示した光ディスク装置１００ではチャッキングプレート１０３を固定するために専用のチャッキングプレート支持板１０２を設けなければならなかった。更に、ディスクｄの回転による風はディスクトレイ１０７で遮断されるので、ＰＣＢ１０８の放熱のために熱伝導性ゴム１１３を設ける必要があった。
【００１１】
また、特許文献１では上蓋を有するタイプのディスクプレーヤなので内面側にチャック板を設けることができた。
【００１２】
また、特許文献２はフロッピーディスク装置であるため、ディスク上面をチャッキングする必要はなかった。
【００１３】
本発明は、上記の問題点に鑑み、チャッキングプレート支持板をなくし、部品点数及び工数を削減してコスト削減を行うとともに、ＰＣＢ上の電気部品の冷却効率を向上させた光ディスク装置を提供することを目的とする。
【００１４】
【課題を解決するための手段】
上記目的を達成するために本発明は、光ディスクを支持するチャッキング部を有するターンテーブルと、該チャッキング部に吸着して前記光ディスクを狭持するチャッキングプレートと、電気部品を搭載したプリント回路基板と、該プリント回路基板上に配設されたコネクタにフレキシブル線を介して接続されたピックアップと、前記光ディスクを搬送するディスクトレイと、前記ターンテーブルを回転させるスピンドルモータとを備えた光ディスク装置において、前記チャッキングプレートは、前記プリント回路基板に形成された穴に取り付け、前記プリント回路基板は、前記光ディスクの前記ディスクトレイとは反対側に配置し、前記コネクタは、前記ディスクトレイの後方に配設し、前記フレキシブル線は、前記ディスクトレイの外側を通して前記ピックアップに接続し、前記電気部品であって発熱する部品は、前記光ディスクに対向する領域に配設し、前記電気部品であって前記光ディスクと前記プリント回路基板間の距離以上の高さを有する部品は、前記光ディスクに対向しない領域に配設することを特徴とするものである。
【００１５】
このように、従来用いられていたチャッキングプレート支持板をなくし、ＰＣＢに形成した穴にチャッキングプレートを取り付けることにより、部品点数及び工数を削減してコスト削減を行うことができる。また、ＰＣＢを光ディスクの上方に配置し、ＰＣＢの光ディスクに対向する領域に発熱部品を配設することにより、光ディスクの回転による風を利用して発熱部品の冷却効率を向上させることができる。更に、フレキシブル線はディスクトレイの外側を通すことにより、ディスクトレイの外面に沿って動くことはあっても、光ディスクに接触することはなくなる。
【００１６】
また本発明は、光ディスクを支持するチャッキング部を有するターンテーブルと、該チャッキング部に吸着して前記光ディスクを狭持するチャッキングプレートと、電気部品を搭載したプリント回路基板と、該プリント回路基板上に配設されたコネクタにフレキシブル線を介して接続されたピックアップとを備えた光ディスク装置において、前記チャッキングプレートが前記プリント回路基板に形成された穴に取り付けられることを特徴とするものである。
【００１７】
このように、従来用いられていたチャッキングプレート支持板をなくし、ＰＣＢに形成した穴にチャッキングプレートを取り付けることにより、部品点数及び工数を削減してコスト削減を行うことができる。また、ＰＣＢを光ディスクの上方に配置することになるので、光ディスクの回転による風を利用してＰＣＢ上の電気部品の冷却効率を向上させることができる。
【００１８】
上記の光ディスク装置において、プリント回路基板上の電気部品であって発熱する部品は、前記光ディスクに対向する領域に配設することにより、光ディスクの回転による風が直接あたり、冷却効率を向上させることができる。
【００１９】
また、前記電気部品であって前記光ディスクと前記プリント回路基板間の距離以上の高さを有する部品は、前記光ディスクに対向しない領域に配設することが望ましい。
【００２０】
これにより、光ディスクとプリント回路基板間の距離が小さくなり、チャッキングプレートの高さを低くできるため、光ディスクの面ブレを防止することができる。
【００２１】
【発明の実施の形態】
以下に本発明の実施形態について図面を参照して説明する。図１は、光ディスク装置１０の要部斜視図、図２は、光ディスク装置１０の側断面図である。
【００２２】
光ディスク装置１０の筐体（不図示）の内部には、金属製の骨組みである本体シャーシ１１が備えられる。ディスクｄ挿入位置の上面にはＰＣＢ１８が取り付けられ、ＰＣＢ１８に形成された穴に３枚の円板からなるチャッキングプレート１３が回転可能に取り付けられる。従って、従来用いていたチャッキングプレート支持板１０２は不要となる。
【００２３】
本体シャーシ１１内には、チャッキングプレート１３に対向してターンテーブル１４が設けられ、ターンテーブル１４上の中心には、テーパーを有した磁石からなるチャッキング部１５が設けられている。ターンテーブル１４はスピンドルモータ１６により回転される。
【００２４】
また、１７はディスクｄを搬送するディスクトレイであり、１９はピックアップ、２０はシート状のフレキシブル線であるピックアップケーブル、２１はピックアップケーブルとＰＣＢ１８とを接続するコネクタ、２２は外部コネクタである。
【００２５】
なお、ディスクｄの面ブレを防止するためにチャッキングプレート１３の高さは低いほうがよい。チャッキングプレートを低くするには、ＰＣＢ１８とディスクｄとの距離を短くしなければならないが、それにはＰＣＢ１８上に搭載される部品の配置を工夫する必要がある。つまり、ＰＣＢ１８上の部品がディスクｄに接触しない配置としなければならない。
【００２６】
そこで、ＰＣＢ１８上の部品であってディスクｄとＰＣＢ１８間の距離以上の高さを有する部品は、ディスクｄに対向しない領域に配設することが望ましい。即ち、それらの部品をディスクトレイ１７の後方やディスクｄの側方に配設する。ここで高さの高い部品は、各種コンデンサ、コネクタ、チップコイル等である。
【００２７】
一方、ＰＣＢ１８のディスクｄに対向する領域には、ディスクｄとＰＣＢ１８との距離未満の高さを有する部品を配設することができ、特に、発熱部品を配設することが望ましい。ここで発熱部品は、モータドライブ用ＩＣ等である。これにより、ディスクｄの回転で生じる風が発熱部品に直接当たるので冷却効果が期待できる。従って、従来用いていた熱伝導性ゴム１１３は不要となる。
【００２８】
また、本発明ではＰＣＢ１８をディスクｄの上方（レーベル面側）に配設しているのでピックアップ用のコネクタ２１とピックアップ１９との距離が従来よりも長くなる。コネクタ２１はディスクｄとの接触を避けるため例えば、図２のようにディスクトレイ１７の後方に配設されるからである。このような配置では、ピックアップケーブル２０はディスクトレイ１７の内側を通すと短くて済むが、ピックアップ１９がディスクｄの中心側へ移動する際にピックアップケーブル２０とディスクｄが接触するおそれがある。
【００２９】
そこで、本発明の光ディスク装置１０ではピックアップケーブル２０はディスクトレイ１７の外側（下方）を通してピックアップ１９に接続することが望ましい。これにより、ピックアップケーブル２０はディスクトレイ１７の外面に沿って動くことはあっても、ディスクｄに接触することはなくなる。
【００３０】
このような光ディスク装置１０において、ディスクｄは、ディスクトレイ１７に載置されて挿入され、チャッキング部１５とチャッキングプレート１３で挟まれ、スピンドルモータ１６により回転される。
【００３１】
本実施形態によれば、従来用いられていたチャッキングプレート支持板１０２をなくし、ＰＣＢ１８に形成した穴にチャッキングプレート１３を取り付けることにより、部品点数及び工数を削減してコスト削減を行うことができる。また、ＰＣＢ１８をディスクｄの上方に配置し、ＰＣＢ１８のディスクｄに対向する領域に発熱部品を配設することにより、ディスクｄの回転による風を利用して発熱部品の冷却効率を向上させることができる。
【００３２】
なお、本実施形態ではトレイ方式の光ディスク装置について説明したが、本発明はスロットイン方式の光ディスク装置についても同様に適用することができる。
【００３３】
【発明の効果】
本発明によれば、従来用いられていたチャッキングプレート支持板をなくし、ＰＣＢに形成した穴にチャッキングプレートを取り付けることにより、部品点数及び工数を削減してコスト削減を行うことができる。
【００３４】
また本発明によれば、ＰＣＢを光ディスクの上方に配置し、ＰＣＢの光ディスクに対向する領域に発熱部品を配設することにより、光ディスクの回転による風を利用して発熱部品の冷却効率を向上させることができる。
【００３５】
また本発明によれば、ＰＣＢの光ディスクに対向する領域に、光ディスクとＰＣＢ間の距離以上の高さを有する電気部品を配設することにより、光ディスクとＰＣＢ間の距離が小さくなり、チャッキングプレートの高さを低くできるため、光ディスクの面ブレを防止することができる
【００３６】
また本発明によれば、フレキシブル線はディスクトレイの外側を通すことにより、ディスクトレイの外面に沿って動くことはあっても、光ディスクに接触することはなくなる。
【図面の簡単な説明】
【図１】本発明の光ディスク装置の要部斜視図である。
【図２】本発明の光ディスク装置の側断面図である。
【図３】従来の光ディスク装置の要部斜視図である。
【図４】従来の光ディスク装置の側断面図である。
【符号の説明】
１０    光ディスク装置
１３    チャッキングプレート
１４    ターンテーブル
１５    チャッキング部
１６    スピンドルモータ
１７    ディスクトレイ
１８    プリント回路基板（ＰＣＢ）
１９    ピックアップ
２０    ピックアップケーブル（フレキシブル線）
２１    コネクタ
【図１】
2004220658.tif 000003
【図２】
2004220658.tif 000004
【図３】
2004220658.tif 000005
【図４】
2004220658.tif 000006